(57)【特許請求の範囲】
【請求項１】
重量物を持ち上げるための重量物持ち上げ装置において、
長さ調整が可能な棒状の水平部と、
前記水平部の両端部にそれぞれ設けられ、前記水平部を垂直方向に昇降する一対の昇降部と、
前記一対の昇降部にそれぞれ設けられ、前記昇降部を立設状態に支持する一対の脚部と、
前記水平部に該水平部の軸方向にスライド自在に吊設され、下端部にＬ字状のフック部を有するとともに吊設長さが調整可能な一対の引っ掛け部材と、を備え、
前記水平部は、筒状部材と、前記筒状部材の両側から挿入される一対の挿入棒とでなる入れ子構造に形成され、前記一対の挿入棒には前記筒状部材に挿入される挿入量の最小限度と前記水平部の剛性との関係を示すマークが表示されており、
前記重量物を前記水平部と前記一対の引っ掛け部材とで把持して前記昇降部で前記重量物に対して垂直方向の力を付与することにより前記重量物を持ち上げることを特徴とする重量物持ち上げ装置。
【請求項２】
重量物を持ち上げるための重量物持ち上げ装置において、
長さ調整が可能な棒状の水平部と、
前記水平部の両端部にそれぞれ設けられ、前記水平部を垂直方向に昇降する一対の昇降部と、
前記一対の昇降部にそれぞれ設けられ、前記昇降部を立設状態に支持する一対の脚部と、
前記水平部に該水平部の軸方向にスライド自在に吊設され、下端部にＬ字状のフック部を有するとともに吊設長さが調整可能な一対の引っ掛け部材と、を備え、
前記昇降部は、
前記脚部にスライド自在に支持されるとともに前記水平部の端部を支持するスライド部材と、
前記脚部に垂直方向に設けられたナット部材と、
前記スライド部材に上下端が回転自在に支持されるとともに前記ナット部材に雄ネジが刻設された中央部が螺合し、回転させることによって前記スライド部材を前記脚部に対して昇降させる昇降ネジと、
前記昇降ネジの上端に該昇降ネジに対して直交するように設けられ、前記昇降ネジを回転させるハンドルと、を有し、
前記重量物を前記水平部と前記一対の引っ掛け部材とで把持して前記昇降部で前記重量物に対して垂直方向の力を付与することにより前記重量物を持ち上げることを特徴とする重量物持ち上げ装置。
【請求項３】
重量物を持ち上げるための重量物持ち上げ装置において、
長さ調整が可能な棒状の水平部と、
前記水平部の両端部にそれぞれ設けられ、前記水平部を垂直方向に昇降する一対の昇降部と、
前記一対の昇降部にそれぞれ設けられ、前記昇降部を立設状態に支持する一対の脚部と、
前記水平部に該水平部の軸方向にスライド自在に吊設され、下端部にＬ字状のフック部を有するとともに吊設長さが調整可能な一対の引っ掛け部材と、を備え、
前記重量物持ち上げ装置は、
前記筒状部材を有する本体ブロックと、
前記脚部と前記昇降部と前記挿入棒とが一体となった昇降ブロックと、
前記引っ掛け部材と、に分解可能であり、
前記重量物を前記水平部と前記一対の引っ掛け部材とで把持して前記昇降部で前記重量物に対して垂直方向の力を付与することにより前記重量物を持ち上げることを特徴とする請求項１に記載の重量物持ち上げ装置。
【請求項４】
前記水平部の下面には、前記水平部の幅よりも広幅な板状部材が設けられている請求項１〜３の何れか１項に記載の重量物持ち上げ装置。
【請求項５】
前記脚部には車輪が設けられている請求項１〜４の何れか１項に記載の重量物持ち上げ装置。
【請求項６】
前記重量物は側溝に被せられる側溝蓋である請求項１〜５の何れか１項に記載の重量物持ち上げ装置。
【発明の詳細な説明】
【技術分野】
【０００１】
本発明は重量物持ち上げ装置に係り、特には側溝から重量物である側溝蓋を持ち上げる重量物持ち上げ装置に関する。
【背景技術】
【０００２】
重量物を持ち上げる一例としては、例えば側溝から重量物である側溝蓋を持ち上げる場合がある。
図８に示すように、車道や歩道の両側部、或いは住宅地の周囲等には、雨水を集めて排水するための側溝１（例えばＵ字溝）が設けられ、側溝１にはコンクリート製の側溝蓋２が被せられている。
【０００３】
側溝蓋２は側溝１の両側壁の上端部に形成された段差部３の面３Ａに側溝蓋２の幅方向両端部の面５が接した状態で側溝１に嵌め込まれる。また、側溝１を隙間なく塞ぐように複数の側溝蓋２が側溝１の長さ方向に隙間なく連設される。側溝蓋２の長さ方向両端部の中央位置には切り欠き４が形成され、側溝蓋２を取り外すときに例えば細い鉄棒を挿入できるようになっている。
【０００４】
しかしながら、側溝蓋２は車両などが通過しても破損しないように厚く堅固に形成され、また雨水の増水によって移動しないよう相当の質量を有している。例えば、大きな車道に設けられる側溝１のコンクリート製の側溝蓋２は、１０トンの車両が走行しても問題ないように、厚みが１５０ｍｍで質量が１５０ｋｇもあり、人力ではとても動かすことはできない。
【０００５】
ところで、かかる側溝１は、土木工事の必要に応じて側溝蓋２を持ち上げて側溝１から取り外したり、排水の滞りを防ぐため堆積した土砂やゴミ等を定期的に除去清掃するために側溝蓋２を持ち上げて側溝１から取り外したりする必要がある。取り外した側溝蓋２は、土木工事や清掃が完了後に再び側溝１に設置することとなる。
【０００６】
このような重量物である側溝蓋２の取り外し及び設置作業に使用する装置として、例えば特許文献１がある。特許文献１に開示された側溝蓋着脱運搬装置は、フレームと、フレームの上端側に設けられるハンドルと、フレームの下端側に設けられ側溝蓋を挟み込む挟持部と、挟持部に設けられ挟み込んだ側溝蓋を移動させるための車輪とを備え、挟持部は、側溝蓋の上面を支持する上面支持部材と、側溝蓋の底面を支持する底面支持部材と、上面支持部材と底面支持部材とを繋ぐ連結部材によって側面視コ字状に形成されている。
【０００７】
そして、側溝蓋を側溝から取り外す場合、挟持部を側溝蓋の前端面から挟むように差し込み、挟持部の保持凹部に側溝蓋を位置させる。次に、ハンドルを前側に倒しながら挟持部を前方へ傾かせ、側溝蓋の前端面側を浮かせ、浮いている状態の挟持部の下方に側溝横架材を滑り込ませて挟持部の後側を側溝横架材の上に載せる。次いで、作業者が足乗せ部側（かかと側）に体重をかけるようにしてハンドルを手前に引き寄せながら挟持部の前側が浮かせ、車輪が側溝横架材に接地するようにする。これにより、側溝蓋を側溝から取り外す。
【先行技術文献】
【特許文献】
【０００８】
【特許文献１】特開２０１２−２１９４４３号公報
【発明の概要】
【発明が解決しようとする課題】
【０００９】
しかしながら、特許文献１の側溝蓋着脱運搬装置は、挟持部を側溝蓋の前端面から挟むように差し込む第１作業、ハンドルを前側に倒しながら挟持部を前方へ傾かせて側溝蓋の前端面側を浮かせる第２作業、浮いている状態の挟持部の下方に側溝横架材を滑り込ませて挟持部の後側を側溝横架材の上に載せる第３作業、作業者が足乗せ部側（かかと側）に体重をかけるようにしてハンドルを手前に引き寄せながら挟持部の前側を浮かせ、車輪を側溝横架材に接地させる第４作業の４つの作業を有し、側溝蓋の持ち上げ作業が複雑であるという問題がある。
【００１０】
特に、特許文献１の側溝蓋着脱運搬装置は、側溝蓋の厚みが薄く軽量な場合には問題ないが、上記したような厚みが１５０ｍｍで質量が１５０ｋｇもある側溝蓋について、人力により第２作業の浮かせる作業や第３作業の載せる作業を行うことは難しい。
【００１１】
更には、特許文献１に記載されているように、連設された側溝蓋のうち最初の一つの側溝蓋は別途取り除いておき、取り除いた側溝に側溝横架材を設けることが前提となっており、最初の一つの側溝蓋の取り除きには使用できないという問題がある。特に、側溝蓋と側溝との隙間に雨風によって運ばれてきた砂や泥によって側溝蓋と側溝とが固着されている場合、最初の一つの側溝蓋が一層外れにくい。
【００１２】
このような背景から、例えば厚みが１５０ｍｍで質量が１５０ｋｇもある側溝蓋のような重量物を容易に持ち上げることができ、特に連設された側溝蓋のうち最初の一つの側溝蓋を容易に持ち上げるのに有効に使用できる重量物持ち上げ装置が要望されている。
【００１３】
本発明はこのような事情に鑑みてなされたもので、例えば側溝蓋のような重量物を容易に持ち上げることができる装置であり、特に連設された側溝蓋のうち最初の一つの側溝蓋を容易に持ち上げるのに有効な重量物持ち上げ装置を提供することを目的とする。
【課題を解決するための手段】
【００１４】
本発明の重量物持ち上げ装置は上記目的を達成するめに、重量物持ち上げ装置において、長さ調整が可能な棒状の水平部と、前記水平部の両端部にそれぞれ設けられ、前記水平部を垂直方向に昇降する一対の昇降部と、前記一対の昇降部にそれぞれ設けられ、前記昇降部を立設状態に支持する一対の脚部と、前記水平部に該水平部の軸方向にスライド自在に吊設され、下端部にＬ字状のフック部を有するとともに吊設長さが調整可能な一対の引っ掛け部材と、を備え、前記重量物を前記水平部と前記一対の引っ掛け部材とで把持して前記昇降部で前記重量物に対して垂直方向の力を付与することを特徴とする。
【００１５】
本発明の持ち上げ装置によれば、水平部と一対の引っ掛け部材とで重量物を把持し、昇降部で重量物に対して垂直方向の力を付与するという簡単な作業で重量物を持ち上げることができる。
【００１６】
また、本発明の持ち上げ装置は、重量物に対して垂直方向（重力の方向）の力のみを作用させることができ、斜め上向き方向の力成分が作用しないようにしたので、例えば重量物が隙間なく連設された状態から一つの重量物を持ち上げる場合でも、隣接する重量物が邪魔になることはない。
したがって、本発明の持ち上げ装置は、側溝に連設された側溝蓋のうち、最初の一つの側溝蓋を持ち上げるのに特に有効である。
【００１７】
本発明の態様においては、前記水平部は、筒状部材と、前記筒状部材の両側から挿入される一対の挿入棒とでなる入れ子構造に形成され、前記一対の挿入棒には前記筒状部材に挿入される挿入量の最小限度と前記水平部の剛性との関係を示すマークが表示されていることが好ましい。
【００１８】
水平部を入れ子構造にすることで長さ調整可能な構造を簡単に構築でき、挿入棒に筒状部材に挿入される挿入量の最小限度と水平部の剛性との関係を示すマークが表示されることによって重量物を持ち上げる際の水平部の強度を確実に確保できる。
【００１９】
本発明の態様においては、前記水平部の下面には、前記水平部の幅よりも広幅な板状部材が設けられることが好ましい。
水平部と一対の引っ掛け部材とで重量物を把持して持ち上げるときに、水平部が重量物の幅方向中心線からずれている場合、水平部を境とした重量物の幅方向の一方側が他方側よりも重くなるので、重量物に水平部周りの回転力が発生する。これにより、持ち上げ中の重量物のバランスが悪くなり落下する恐れがある。
【００２０】
本発明の態様によれば、水平部の下面に水平部の幅よりも広幅な板状部材を設けたので、水平部が重量物の幅方向中心線から多少ずれている場合であっても、重量物に水平部周りの回転力が発生しにくいので、重量物を安全に持ち上げることができる。
【００２１】
本発明の態様においては、前記脚部には車輪が設けられていることが好ましい。これにより、持ち上げ装置で持ち上げた重量物を、持ち上げた場所から簡単に移動させることができる。また、持ち上げた重量物を元の位置に戻す場合にも簡単に移動させることができる。
【００２２】
本発明の態様においては、前記昇降部は、前記脚部に垂直方向にスライド自在に支持されるとともに前記水平部の端部を支持するスライド部材と、前記脚部に垂直方向に設けられたナット部材と、前記スライド部材に上下端が回転自在に支持されるとともに前記ナット部材に雄ネジが刻設された中央部が螺合し、回転させることによって前記スライド部材を前記脚部に対して昇降させる昇降ネジと、前記昇降ネジの上端に該昇降ネジに対して直交するように設けられ、前記昇降ネジを回転させるハンドルと、を備えた構成であることが好ましい。
【００２３】
上記の如く昇降部を構成し、昇降ネジに対して直交するようにハンドルを設けることによって、水平部と一対の引っ掛け部材とで把持した重量物を、昇降部により梃の原理を利用して持ち上げることができる。これにより、人力のような小さな力でも、例えば１５０Ｋｇ程度の重量物でも容易に持ち上げることができる。
【００２４】
また、動力源として電気を必要としない簡単な構成で昇降部を構築することによって、電気施設のない場所に設けられた重量物に対しても対応することができるとともに、モータ等の電気部品が必要ないので、装置の軽量化を図ることができる。
【００２５】
本発明の態様においては、前記持ち上げ装置は、前記筒状部材を有する本体ブロックと、前記脚部と前記昇降部と前記挿入棒とが一体となった昇降ブロックと、前記引っ掛け部材と、に分解可能であることが好ましい。
【００２６】
このように、持ち上げ装置を複数のブロックに分解可能とすることによって、１つのブロックの重さを軽くできる。したがって、力のない女性でも取り扱いが容易になるとともに、車両等で容易に持ち運ぶことができる。
【００２７】
本発明の態様においては、前記重量物は側溝に被せられる側溝蓋であることが好ましい。
上述したように、本発明の持ち上げ装置は側溝蓋を側溝から持ち上げるときに特に有効だからである。
【発明の効果】
【００２８】
本発明の重量物持ち上げ装置によれば、例えば側溝蓋のような重量物を容易に持ち上げることができる装置であり、特に側溝に連設された側溝蓋のうち最初の一つの側溝蓋を持ち上げるのに有効である。
【図面の簡単な説明】
【００２９】
【図１】本発明の重量物持ち上げ装置の斜視図
【図２】持ち上げ装置の側面図
【図３】持ち上げ装置の分解図
【図４】持ち上げ装置で側溝の側溝蓋を持ち上げるステップにおいて側溝蓋上で持ち上げ装置を組み立てた斜視図
【図５】持ち上げ装置で側溝の側溝蓋を持ち上げるステップにおいて側溝蓋が側溝から少し持ち上がった状態の斜視図
【図６】持ち上げ装置で側溝の側溝蓋を持ち上げるステップにおいて側溝蓋が側溝から完全に持ち上がった状態の斜視図
【図７】持ち上げ装置で側溝の側溝蓋を持ち上げるステップにおいて持ち上がった側溝蓋を側溝から移動させた状態の斜視図
【図８】側溝及び側溝蓋を説明する説明図
【発明を実施するための形態】
【００３０】
以下添付図面にしたがって、本発明に係る重量物持ち上げ装置の好ましい実施の形態について説明する。
本発明の実施の形態では、重量物として側溝蓋２（図８参照）の例で以下に説明する。
【００３１】
[持ち上げ装置の全体構成]
図１は、本発明の重量物持ち上げ装置（以下、単に持ち上げ装置と称する場合もある）の全体構成の一例を示す斜視図であり、図２は側面図である。
【００３２】
図１及び図２に示すように、本発明の実施の形態の持ち上げ装置１０は、主として、長さ調整が可能な棒状の水平部１２と、水平部１２の両端部にそれぞれ設けられ、水平部１２を垂直方向に昇降する一対の昇降部１４，１４と、一対の昇降部１４にそれぞれ設けられ、昇降部１４を立設状態に支持する一対の脚部１６，１６と、水平部１２に該水平部１２の軸方向にスライド自在に吊設され、下端部にＬ字状のフック部１８Ｂを有するとともに吊設長さが調整可能な一対の引っ掛け部材１８，１８と、で構成される。
そして、重量物である側溝蓋２を水平部１２と一対の引っ掛け部材１８とで把持し、昇降部１４によって側溝蓋２に対して垂直方向の力を付与するようにした。
【００３３】
水平部１２は、筒状部材１２Ａと、筒状部材１２Ａの両側から挿入される一対の挿入棒１２Ｂ，１２Ｂとでなる入れ子構造に形成され、一対の挿入棒１２Ｂには筒状部材１２Ａに挿入される挿入量の最小限度と水平部１２の剛性（強度）との関係を示すマーク２０が表示されている。水平部１２の挿入棒１２Ｂに表示するマーク２０の位置は、持ち上げ装置１０で持ち上げる最大質量の重量物を想定して水平部１２の剛性（強度）を確保できる位置に表示することが好ましい。
【００３４】
更に説明すると、筒状部材１２Ａに挿入棒１２Ｂが十分な長さが挿入されていない場合は、強度不足により、筒状部材１２Ａや挿入棒１２Ｂの破損、変形のおそれがある。よって、筒状部材１２Ａに挿入棒１２Ｂが十分な長さが挿入されているか否かがはっきり分かるようにマーク２０を表示する。
【００３５】
マーク２０の表示位置については、図２に示すように、マーク２０がぎりぎり表示される位置またはそれより深く（マーク２０が見えなくなるまで）挿入棒１２Ｂを筒状部材１２Ａに挿入することにより、十分な強度が得られるようにマーク２０の位置を設定することができる。
【００３６】
なお、本実施の形態では、長さ調整が可能な棒状の水平部１２の構造として入れ子構造の例で示したが、この構造に限定するものではない。
【００３７】
また、水平部１２の下面には、水平部１２の幅よりも広幅な板状部材２２が設けられる。更に、板状部材２２の両端部には、水平部１２の上方に至るアーチ状の把手２４，２４が一対設けられる。
【００３８】
また、入れ子構造に形成された水平部１２は、後記する昇降部１４で説明するスライド部材１４Ａの下端位置側面に挿入棒１２Ｂの端面を溶接等より固着することにより連結される。また、スライド部材１４Ａと挿入棒１２ＢとのＬ字状の連結部分には、スライド部材１４Ａの下端位置側面と挿入棒１２Ｂの上面とに溶接等により固着されたリブ部材２６が設けられる。このリブ部材２６によって水平部１２と昇降部１４との連結強度を向上させることができる。
【００３９】
図１及び図２に示すように、昇降部１４は、脚部１６の梁１６Ｂに垂直にスライド自在に支持されるとともに水平部１２を支持するスライド部材１４Ａと、脚部１６に垂直方向に設けられたナット部材１４Ｂと、スライド部材１４Ａに上下端が回転自在に支持されるとともにナット部材１４Ｂに雄ネジが刻設された中央部が螺合し、回転させることによってスライド部材１４Ａを脚部１６に対して昇降させる昇降ネジ１４Ｃと、昇降ネジ１４Ｃを回転させるハンドル１４Ｄと、を備えて構成される。
【００４０】
即ち、図１に示すように、脚部１６は２本の支柱１６Ａの間に水平な梁１６Ｂを架設した門型形状に形成されるとともに、スライド部材１４Ａは垂直方向に矩形状の長孔１４Ｅを有する額縁形状に形成される。そして、脚部１６の梁１６Ｂがスライド部材１４Ａの長孔１４Ｅに貫通している。これにより、スライド部材１４Ａは脚部１６に対して垂直方向にスライド自在に支持される。
【００４１】
また、図１に示すように、スライド部材１４Ａの長孔１４Ｅの水平方向の幅Ｗ１は、スライド可能な程度において脚部１６の梁１６Ｂの厚みＷ２よりも僅かに大きくなっている。これにより、スライド部材１４Ａの長孔１４Ｅの面と梁１６Ｂの外面とが接面した状態でスライド部材１４Ａが梁１６Ｂに対して垂直方向にスライドすることができ、スライド時におけるスライド部材１４Ａのがたつきを防止している。
【００４２】
また、脚部１６の梁１６Ｂの中央位置には梁１６Ｂの上面から下面までを貫通する垂直方向の貫通孔（図示せず）が穿設され、この貫通孔にナット部材１４Ｂが埋設固定されている。また、スライド部材１４Ａの上端面と下端面とにはそれぞれ軸受１４Ｆ、１４Ｆが設けられる。
【００４３】
そして、昇降ネジ１４Ｃの上端と下端とが、スライド部材１４Ａの上端面と下端面とに設けられた軸受１４Ｆに回転自在に支持されるとともに、雄ネジが刻設された昇降ネジ１４Ｃの中央部分（ネジ部分）がナット部材１４Ｂに螺合される。これにより、一対の昇降ネジ１４Ｃを正回転（時計回り）させるとスライド部材１４Ａが脚部１６に対して昇降し、スライド部材１４Ａに連結された水平部１２を上昇させることができる。また、一対の昇降ネジ１４Ｃを逆回転（反時計回り）させるとスライド部材１４Ａが脚部１６に対して下降し、スライド部材１４Ａに連結された水平部１２を下降させることができる。
【００４４】
また、昇降ネジ１４Ｃの上端には、昇降ネジ１４Ｃを回転させるＬ字状のハンドル１４Ｄが起倒部材２８を介して取り付けられている。起倒部材２８は、昇降ネジ１４Ｃの上端に固設された２枚の対向する垂直なブラケット板２８Ａと、ブラケット板２８Ａ同士を連結する水平な軸部材２８Ｂとで構成され、軸部材２８Ｂにハンドル１４の先端部の連結孔が回動自在に支持される。これにより、ハンドル１４Ｄを水平状態に倒したり、垂直方向に起立させたりすることができる。
【００４５】
そして、持ち上げ装置１０の使用時には、ハンドル１４Ｄを倒してハンドル１４Ｄの端部を手で握り、昇降ネジ１４Ｃを正回転方向に回転させる。これにより、水平部１２と一対の引っ掛け部材１８とで把持した側溝蓋２を、昇降部１４によって梃の原理を利用して持ち上げることができる。これにより、人力のような小さな力でも、例えば１５０Ｋｇ程度の側溝蓋２でも容易に持ち上げることができる。また、使用終了後にハンドル１４Ｄを軸部材２８Ｂを回転軸として約２７０°回転させることにより、スライド部材１４Ａ近傍に位置させることで、車両等に積載され易くできる。
なお、本実施の形態では、昇降部１４の好ましい態様として上記の手動式構造で記載したが、この構造に限定するものではなく、電動式構造の昇降部を採用することもできる。
【００４６】
また、一対の対向する脚部１６の梁１６Ｂは、水平部１２に対して水平面上で直交する方向に設けられている。これにより、対向する２つの脚部１６からなる４本の支柱１６Ａは、水平部１２を中心線とした四角形の４つのコーナ部にそれぞれ位置する。したがって、水平部１２と引っ掛け部材１８で重量物である側溝蓋２を把持して持ち上げても、持ち上げ装置１０が傾いて倒れてしまうことがない。
【００４７】
また、２つの脚部１６からなる４本の支柱１６Ａの下端には、それぞれ車輪３０，３０…（キャスタ）が設けられている。これにより、持ち上げ装置１０で持ち上げた側溝蓋２を、持ち上げた場所から簡単に移動させることができる。また、持ち上げた側溝蓋２を元の側溝１の位置に戻して再び側溝１に被せる場合にも簡単に移動させることができる。
なお、この車輪３０，３０には、車輪３０の回転を止めるためのストッパ（不図示）が設置されていることが好ましい。これにより、持ち上げ装置１０を作動させて側溝蓋２を持ち上げるときには、ストッパにより車輪３０の回転を止めることにより、持ち上げ装置１０が移動しないので、側溝蓋２を安定して持ち上げることができる。また、持ち上げ装置１０で持ち上げた側溝蓋２を、持ち上げた場所から移動させるときは、このストッパを解除することで車輪３０が回転可能になり、持ち上げた側溝蓋２を容易に移動させることができる。
【００４８】
図１に示すように、水平部１２の挿入棒１２Ｂには、軸方向に長孔１２Ｃが形成されており、長孔１２Ｃに引っ掛け部材１８が挿入された状態で吊設される。
【００４９】
図１及び図２に示すように、引っ掛け部材１８は、雄ネジが刻設された丸棒部材１８Ａの一方端（下端）がＬ字状に折れ曲がってフック部１８Ｂを形成しており、他方端（上端）に丸棒部材１８Ａに直交する棒状の把持部１８Ｃが設けられる。そして、丸棒部材１８Ａのネジ部分に平板状のフランジ１８Ｄを備えたナット部材１８Ｅが螺合される。
【００５０】
これにより、引っ掛け部材１８を挿入棒１２Ｂに形成された長孔１２Ｃに上から挿入することでフランジ１８Ｄを備えたナット部材１８Ｅが挿入棒１２Ｂの上面に当接し、引っ掛け部材１８を挿入棒１２Ｂ、即ち水平部１２に吊設することができる。この場合、挿入棒１２Ｂの長孔１２Ｃに沿って引っ掛け部材１８を移動させることで、引っ掛け部材１８を吊り下げる水平部１２の軸方向位置を調整することができる。また、引っ掛け部材１８の吊設長さを調整する場合には、ナット部材１８Ｅを回転してナット部材１８Ｅの下側に突出する丸棒部材１８Ａの長さを調整すればよい。
【００５１】
上記した持ち上げ装置１０を構成する、水平部１２、昇降部１４、脚部１６、引っ掛け部材１８、及び車輪３０は、最大１５０Ｋgの重量物を持ち上げても破損しない剛性を得られる材料であればどのようなものでもよいが、例えば一般構造用の鉄鋼材であるＳＳ４００を好適に用いることができる。特に、昇降部１４を構成する部材は、梃の原理によって大きなトルクがかかるので、大きな剛性をもたせる必要がある。なお、車輪３０にはゴムタイヤを設けることで持ち上げ装置１０の移動をスムーズに行うことができる。
【００５２】
図３は、持ち上げ装置１０の分解図である。
持ち上げ装置１０は、水平部１２の筒状部材１２Ａと板状部材２２と把手２４とを有する本体ブロックＡと、水平部材１２の挿入棒１２Ｂと昇降部１４と脚部１６と車輪３０とが一体となった昇降ブロックＢと、引っ掛け部材１８と、の３分割に分解される。なお、板状部材２２や把手２４を設けない構成を採用することもできる。その場合には本体ブロックＡからそれらを外す態様にすればよい。また、車輪３０を設けない構成を採用することもできる。その場合には昇降ブロックＢからそれらを外す態様にすればよい。
【００５３】
持ち上げ装置１０をどのような構成のブロックに分解するかは、上記の３分割に限定するものではないが、装置の強度、組み立ての容易性、及び持ち運びの容易性を考慮すると上記の如く分解することが好ましい。
【００５４】
次に、上記の如く構成された持ち上げ装置１０を用いて側溝１から側溝蓋２を持ち上げて取り外す方法を説明する。説明は、図３の分解状態の持ち上げ装置１０を現場で組み立てる場合で説明する。
【００５５】
先ず、持ち上げ装置１０を使用する現場において、本体ブロックＡの筒状部材１２Ａの両側から一対の昇降ブロックＢの挿入棒１２Ｂを挿入する。
この状態で、図４に示すように、持ち上げ装置１０を側溝１に隙間なく連設された側溝蓋２の上に移動させ、側溝１から最初に持ち上げる側溝蓋２Ａの両側の側溝蓋２Ｂ上に一対の脚部１６がそれぞれ位置するように水平部１２の長さを調整する。この場合、挿入棒１２Ｂに表示したマーク２０がぎりぎり見えるか、または、見えないことを確認する。これにより、水平部１２の強度に問題がないことを確認し、側溝蓋２Ａを安全に持ち上げることができる。また、持ち上げ装置１０の水平部１２が側溝蓋２の幅方向中心線Ｓ上に略位置するようにする。この場合、側溝蓋２の長さ方向両端に形成された切り欠き４に水平部１２が位置するように持ち上げ装置１０を配置することで、水平部１２が側溝蓋２の幅方向中心線Ｓ上に略位置する。
【００５６】
次に、一対の昇降部１４によって水平部１２を下降させて、側溝蓋２の上面を板状部材２２で押さえつける。そして、一対の引っ掛け部材１８を水平部１２の両端側に取り付ける。この場合、最初に持ち上げる側溝蓋２Ａの両側に形成された切り欠き４に引っ掛け部材１８を挿入可能なように、引っ掛け部材１８を挿入棒１２Ｂに形成された長孔１２Ｃに沿って移動させて水平部１２への取り付け位置を調整する。その後、一対の引っ掛け部材１８のフック部１８Ｂを側溝蓋２Ａの下面に引っ掛ける（図２参照）。そして、板状部材２２と一対の引っ掛け部材１８とで側溝蓋２Ａを確実に把持するように、引っ掛け部材１８のナット部材１８Ｅをスパナ等で回転して引っ掛け部材１８の吊り下げ長さを調整する。
【００５７】
次に、図５に示すように、一対の昇降部１４に設けられたハンドル１４Ｄを正回転（図５の時計回り方向）させて、板状部材２２と一対の引っ掛け部材１８とで把持された側溝蓋２に対して垂直方向の力を付与する。これにより、側溝蓋２Ａが徐々に上昇し、側溝１から持ち上がっていく。
そして、図６に示すように、一対のハンドル１４Ｄを更に正回転させて側溝蓋２Ａを側溝１から完全に持ち上げる。
【００５８】
側溝蓋２Ａを側溝１から完全に持ち上げたら、図７に示すように、持ち上げ装置１０の車輪３０によって持ち上げ装置１０を例えば道路上に移動させる。これにより、側溝１から側溝蓋２Ａを持ち上げて取り外すことができる。
【００５９】
このように本発明の実施の形態の持ち上げ装置１０は、水平部１２に設けた板状部材２２と一対の引っ掛け部材１８とで重量物である側溝蓋２Ａを把持し、昇降部１４によって側溝蓋２に対して垂直方向の力を付与するようにした。即ち、側溝蓋２Ａに対して垂直方向（重力の方向）の力のみを作用させ、斜め上向きの力成分が作用しないようにした。
これにより、例えば、側溝１に隙間なく連設されたけ複数の側溝蓋２のうち最初の一つの側溝蓋２Ａを側溝１から持ち上げる場合であっても容易に持ち上げることができる。
【００６０】
ちなみに、斜め上向きの力成分が作用すると、持ち上げる側溝蓋２Ａの長手方向の端面と隣接する側溝蓋２Ｂ，２Ｂの長手方向の端面とが擦れ合ったり、側溝蓋２Ａの幅方向両端部の面５と側溝１の両側壁の段差部３の面３Ａとが擦れ合ったりする。この結果、最初の一つの側溝蓋２Ａが側溝１から外れにくくなり、持ち上げるのが難しい。
【００６１】
更に、この持ち上げ操作において、上記の如く昇降部１４を構成し、昇降ネジ１４Ｃに対して直交するようにハンドル１４Ｄを倒すことによって、水平部１２と一対の引っ掛け部材１８とで把持した側溝蓋２を梃の原理を利用して持ち上げることができる。これにより、人力のような小さな力でも、例えば１５０Ｋｇ程度の側溝蓋２でも容易に持ち上げることができる。
【００６２】
また、水平部１２を入れ子構造にすることで長さ調整可能な構造を簡単に構築でき、挿入棒１２Ｂに筒状部材１２Ａに挿入される挿入量の最小限度と水平部１２の剛性との関係を示すマーク２０が表示されることによって重量物である側溝蓋２を持ち上げる際の水平部１２の強度を確実に確保できる。
【００６３】
また、水平部１２の下面に水平部１２の幅よりも広幅な板状部材２２を設けたので、水平部１２が側溝蓋２の幅方向中心線から多少ずれている場合であっても、側溝蓋２に水平部１２周りの回転力が発生しにくいので、側溝蓋２を安全に持ち上げることができる。
【００６４】
また、脚部１６に車輪３０を設けたので、持ち上げ装置１０で持ち上げた側溝蓋２を持ち上げた場所から簡単に移動させることができる。また、持ち上げた側溝蓋２を元の位置に戻す場合にも簡単に移動させることができる。
【００６５】
また、動力源として電気を必要としない手動式の昇降部１４を構築することによって、電気施設等のない場所に設けられた重量物に対しても対応することができるとともに、モータ等の電気部品を必要としないので、装置１０の軽量化を図ることができる。
【００６６】
また、持ち上げ装置１０を分割可能な構造としたので、１つのブロックの重さを軽くできる。これにより、力のない女性でも取り扱いが容易になるとともに、車両等で容易に持ち運ぶことができる。
【００６７】
なお、本実施の形態では、重量物として側溝蓋２の例で説明したが、これに限定するものではない。また、側溝蓋２として、厚みが１５０ｍｍで質量が１５０ｋｇもある最も大きな側溝蓋２の例で説明したが、これよりも厚みが薄く軽い側溝蓋であれば更に容易に持ち上げることができる。
【００６８】
なお、本発明の実施の形態では、本体ブロックＡに板状部材２２や把手２４を設け、昇降ブロックＢに車輪３０を設けた例で説明したが、本体ブロックＡに板状部材２２や把手２４を設けない持ち上げ装置や、昇降ブロックＢに車輪３０を設けない持ち上げ装置の態様も可能である。
【符号の説明】
【００６９】
１…側溝、２…側溝蓋、３…段差部、３Ａ…段差部の面、４…切り欠き、５…側溝蓋の幅方向両端部の面、１０…持ち上げ装置、１２…水平部、１２Ａ…筒状部材、１２Ｂ…挿入棒、１２Ｃ…長孔、１４…昇降部、１４Ａ…スライド部材、１４Ｂ…ナット部材、１４Ｃ…昇降ネジ、１４Ｄ…ハンドル、１４Ｅ…長孔、１４Ｆ…軸受、１６…脚部、１６Ａ…支柱、１６Ｂ…梁、１８…引っ掛け部材、１８Ａ…丸棒部材、１８Ｂ…フック部、１８Ｃ…把持部、１８Ｄ…フランジ、１８Ｅ…ナット部材、２０…マーク、２２…板状部材、２４…把手、２６…リブ部材、２８…起倒部材、２８Ａ…ブラケット板、２８Ｂ…軸部材、３０…車輪
【図１】
0006648886.tif 000002
【図２】
0006648886.tif 000003
【図３】
0006648886.tif 000004
【図４】
0006648886.tif 000005
【図５】
0006648886.tif 000006
【図６】
0006648886.tif 000007
【図７】
0006648886.tif 000008
【図８】
0006648886.tif 000009